(57)【特許請求の範囲】
【請求項１】
ユーザによって選択されることで所定の操作が可能であり、対応する前記所定の操作が有効とされるか無効とされるかが運転者の負荷の大小に応じて予め定められている操作ボタン、が複数並べられた操作用画面を表示装置に表示させる車両用表示制御装置であって、
運転者の負荷の大小に応じて予め定められた段階的に異なる複数の色を負荷段階色とし、前記負荷段階色のうち前記操作ボタンが有効とされるときの運転者の負荷の大きさに対応する色を操作有効色として、該操作有効色を取得する操作有効色取得手段（Ｓ１２０）と、
前記操作用画面に並べられた前記操作ボタンの色を前記操作有効色に基づいて表示させる第１の表示手段（Ｓ１４０）と、
を備えることを特徴とする車両用表示制御装置。
【請求項２】
請求項１に記載の車両用表示制御装置であって、
運転者の負荷を取得する負荷取得手段（Ｓ１１０）と、
前記負荷取得手段により取得された運転者の負荷の大きさを表す負荷表示を、前記負荷段階色のうちの前記運転者の負荷に応じた色を用いて表示させる第２の表示手段（Ｓ１３０）と、
を備えることを特徴とする車両用表示制御装置。
【請求項３】
請求項２に記載の車両用表示制御装置であって、
第２の表示手段は、前記操作用画面の少なくとも一部に前記負荷表示を含める
ことを特徴とする車両用表示制御装置。
【請求項４】
請求項２または請求項３に記載の車両用表示制御装置であって、
前記負荷表示には、対応する運転者の負荷の大小の順に前記負荷段階色を並べた負荷段階色表示が含まれる
ことを特徴とする車両用表示制御装置。
【請求項５】
請求項４に記載の車両用表示制御装置であって、
前記負荷表示には、前記負荷段階色表示におけるどの色が前記負荷取得手段により取得された前記運転者の負荷に対応する色であるかを表す負荷対応色表示が含まれる
ことを特徴とする車両用表示制御装置。
【請求項６】
請求項１から請求項５のいずれか一項に記載の車両用表示制御装置であって、
運転者の負荷を取得する負荷取得手段（Ｓ１１０）と、
前記負荷取得手段により前記運転者の負荷を取得したときに前記操作ボタンが有効であるか否かに応じて、異なる態様で前記操作ボタンを表示させる第３の表示手段（Ｓ１５０）と、
を備えることを特徴とする車両用表示制御装置。
【請求項７】
請求項６に記載の車両用表示制御装置であって、
前記第３の表示手段は、前記操作ボタンが無効であるときは、前記操作ボタンが有効であるときよりも、明度の低い色を用いて前記操作ボタンを表示させる
ことを特徴とする車両用表示制御装置。
【発明の詳細な説明】
【技術分野】
【０００１】
本発明は、車両に搭載される車両用表示制御装置に関する。
【背景技術】
【０００２】
従来、例えば自車位置の表示や案内経路の表示等のナビゲーション機能を備える表示装置が知られている。表示装置では、例えば操作用画面におけるメニューの中から項目を選択する操作がなされると、選択された項目に対応する機能が実行されるようになっている。ただし、運転中に運転者が操作用画面を注視しつつ操作を行うことは、安全上好ましいことではない。そこで、運転中に操作用画面を注視しつつ操作が行われることを抑制する各種技術が提案されている。特許文献１には、操作用画面に表示されるメニュー項目のうち、操作を有効とするメニュー項目よりも操作を無効とするメニュー項目の方を視認性が低くなるように表示する技術が提案されている。
【先行技術文献】
【特許文献】
【０００３】
【特許文献１】特開２００４−３０９３２４号公報
【発明の概要】
【発明が解決しようとする課題】
【０００４】
しかしながら、上述の技術では、運転者は、操作用画面に表示される各メニュー項目について、操作がいつ有効または無効とされるのかを認識できない状態で、運転を継続しなくてはならないという問題があった。
【０００５】
本発明は、このような問題に鑑みてなされたものであり、操作用画面の各メニュー項目について、運転負荷に応じて操作がいつ有効または無効とされるのかを、運転者に認識させるための技術を提供することを目的としている。
【課題を解決するための手段】
【０００６】
本発明の一側面は、車両用表示制御装置であって、操作ボタンが複数並べられた操作用画面を表示装置に表示させる装置である。操作ボタンは、ユーザによって選択されることで所定の操作が可能であり、対応する所定の操作が有効とされるか無効とされるかが運転者の負荷の大小に応じて予め定められている。車両用表示制御装置は、操作有効色取得手段と、第１の表示手段とを備える。操作有効色取得手段は、運転者の負荷の大小に応じて予め定められた段階的に異なる複数の色を負荷段階色とし、負荷段階色のうち操作ボタンが有効とされるときの運転者の負荷に対応する色を操作有効色として、該操作有効色を取得する。第１の表示手段は、操作用画面に並べられた操作ボタンの色を操作有効色に基づいて表示させる。
【０００７】
このような構成では、負荷段階色のうち操作有効色を用いて操作ボタンが表示される。したがって、このような構成によれば、操作ボタンが有効とされるときの運転者の負荷に対応する色に基づいて該操作ボタンが表示されるため、操作ボタンが運転負荷に応じていつ有効または無効とされるのかを、運転者に認識させることができる。
【０００８】
なお、特許請求の範囲に記載した括弧内の符号は、一つの態様として後述する実施形態に記載の具体的手段との対応関係を示すものであって、本発明の技術的範囲を限定するものではない。
【図面の簡単な説明】
【０００９】
【図１】車両用表示システムの構成を示すブロック図。
【図２】運転負荷の状態の一例を説明する図。
【図３】ナビゲーションＥＣＵが実行する表示設定処理のフローチャート。
【図４】第１実施形態における、運転負荷の状態に応じた操作用画面の一例を説明する図。
【図５】第２実施形態における、運転負荷の状態に応じた操作用画面の一例を説明する図。
【図６】第３実施形態における、運転負荷の状態に応じた操作用画面の一例を説明する図。
【図７】操作用画面を表示する画像装置について、他の実施形態を説明する図。
【発明を実施するための形態】
【００１０】
以下、本発明が適用された実施形態について、図面を用いて説明する。
［１．第１実施形態］
［１−１．構成］
図１に示す車両用表示システム１は、車両に搭載され、検出部１１、地図データ記録部１２、センタディスプレイ１３、スピーカ１４、及びナビゲーションＥＣＵ１５を備える。
【００１１】
検出部１１は、各種装置及びセンサ等により車両の状態を検出する。検出部１１は、一例として、位置検出器１１１、車速センサ１１２、及び車間距離センサ１１３を備える。
位置検出器１１１は、図示しないＧＰＳ受信機、ジャイロスコープ及び距離センサを備える。ＧＰＳ受信機は、ＧＰＳ（Global Positioning System）用の人工衛星からの送信信号を受信し、自車両（当該車両用表示システム１が搭載された車両）の位置座標や高度を検出する。ジャイロスコープは、自車両に加えられる回転運動の角速度に応じた検出信号を出力する。距離センサは、自車両の走行距離を出力する。位置検出器１１１は、これら各センサの出力信号に基づいて、自車両の現在位置を算出する。
【００１２】
車速センサ１１２は、自車両の車軸に取り付けられたパルス発生器によって該車軸の回転速度を検出し、検出した回転速度に基づいて自車両の速度を算出する。
車間距離センサ１１３は、車両前方に配置された図示しないレーダから電波を送信し、車両前方に位置する物標からの反射波の受信結果に基づいて、自車両と先行車両との間の車間距離を検出する。
【００１３】
地図データ記録部１２は、地図を表す地図データが記録された記録装置である。地図データには、車両が走行可能な道路に関する情報として、道路種別（高速道路（有料道路や自動車専用道路を含む。）／国道／その他の一般道路等）を示す情報や、カーブ路を示す情報などが含まれている。また、本実施形態の地図データには、運転者の負荷（以下、単に運転負荷という）が高くなる領域である高負荷エリアを示す情報が含まれている。高負荷エリアとは、該領域を走行中に運転者が所定の運転操作に集中する必要が生じる領域をいうものとする。具体的には、渋滞等により運転者がブレーキ操作に集中する必要が生じる領域、急カーブ等により運転者がハンドル操作及びブレーキ操作に集中する必要が生じる領域、道路幅が狭く運転者がアクセル操作及びブレーキ操作に集中する必要が生じる領域等が、高負荷エリアの一例として挙げられる。高負荷エリアは、ブレーキの踏み込み、ハンドル操作（舵角）、アクセル開度、加速度、車間距離を車速で割った値である車間時間等に基づいて、予め定められている。
【００１４】
センタディスプレイ１３は、自車両の運転者を含む複数の乗員、例えば運転者や助手席の乗員等が視認するための表示装置であり、インストルメントパネル（ダッシュボード）の中央部に配置されている。
【００１５】
センタディスプレイ１３は、タッチパネル式の液晶ディスプレイであり、ナビゲーションＥＣＵ１５から入力された画像データが表す操作用画面を表示する。また、操作用画面には操作ボタンが複数並べられており、乗員によって操作ボタンが選択されると、センタディスプレイ１３は、どの操作ボタンが選択されたかを表す入力操作データをナビゲーションＥＣＵ１５へ出力する。
【００１６】
スピーカ１４は、車室内に設けられ、ユーザすなわち運転者を含む自車両の乗員に対して、音を出力するための出力装置である。スピーカ１４は、例えば、ナビゲーションＥＣＵ１５から入力された音声データが表すナビゲーション機能における経路案内の音声やオーディオ機能における音楽などを出力する。
【００１７】
ナビゲーションＥＣＵ１５は、ＣＰＵ５１、ＲＯＭ５２、ＲＡＭ５３等を備える電子制御装置であって、ＣＰＵ５１がＲＯＭ５２等の記録媒体に記録されているプログラムに従った各種処理を実行することにより、車両用表示システム１を統括制御する。
【００１８】
ナビゲーションＥＣＵ１５は、ナビゲーション機能を実現するための処理、例えば、地図上における自車両の位置を特定する処理や、設定された目的地までの経路を探索する処理、探索した経路に従い案内する処理などを実行する。また、ナビゲーションＥＣＵ１５は、オーディオ機能を実現するための処理、例えば、オーディオ機能のオンオフ処理や、音楽を出力する処理などを実行する。
【００１９】
また、ナビゲーションＥＣＵ１５は、センタディスプレイ１３の操作用画面に並べられた操作ボタンがユーザによって選択されると、入力操作データに基づいて、選択された操作ボタンに対応する所定の操作（処理）を実行する。ただし、本実施形態では、選択された操作ボタンに対応する操作がいつ有効とされるかまたは無効とされるかは、運転負荷の大小に応じて、予め定められている。なお以下では、説明に応じて、操作ボタンに対応する操作が実行されることを操作ボタンが有効とされるといい、操作ボタンに対応する操作が実行されないことを操作ボタンが無効とされるという。
【００２０】
ところで、運転負荷が大きい状態で、運転者が操作用画面を注視する時間が長くなるような操作が実行されることは、安全上好ましいことではない。そこで、本実施形態では、ナビゲーションＥＣＵ１５は、自車両の運転負荷が大きいときほど操作用画面を注視する時間をより長く必要とする操作を無効とする。以下では、運転負荷を、小さい方から大きい方へ順に低負荷状態、中負荷状態、高負荷状態の３つの状態に分けて表し、運転負荷が低負荷状態以下のときに有効とされる操作を低負荷有効操作、中負荷以下のときに有効とされる操作を中負荷有効操作、高負荷以下のときに有効とされる操作を高負荷有効操作というものとする。低負荷有効操作の一例としては、操作用画面を注視する時間を長く必要とするナビゲーション機能における目的地設定操作等が挙げられ、高負荷有効操作の一例としては、操作用画面を注視する時間を長く必要としないオーディオ機能をオンする操作等が挙げられる。
【００２１】
ナビゲーションＥＣＵ１５は、検出部１１からの出力に基づいて、自車両の運転負荷の状態を、一例として低負荷状態、中負荷状態、高負荷状態の３つのうちのいずれかに特定し、特定した結果を出力する。具体的には、ナビゲーションＥＣＵ１５は、検出部１１により検出された、車速、車間距離、及び自車位置の３つの検出項目において検出結果が予め定められた閾値以上となるか否かを判断し、検出結果が閾値以上となった検出項目の数に応じて、そのときの運転負荷を特定する。なお、自車位置については、検出された自車位置が地図データ記録部１２に示す高負荷エリアに位置する場合に、閾値以上であるとする。
【００２２】
一例として示す図２では、検出結果が予め定められた閾値以上である検出項目に○印が付されている。本実施形態では、３つの検出項目のうち全ての検出項目が閾値以上となる場合、運転負荷が高負荷状態であると特定する。また、３つの検出項目のうち１つ又は２つの検出項目が閾値以上となる場合、運転負荷が中負荷状態であると特定し、全ての検出項目が閾値未満となる場合、運転負荷が低負荷状態であると特定する。例えば、高負荷エリアではない位置での停車は低負荷状態として特定される。
【００２３】
ナビゲーションＥＣＵ１５は、操作ボタンが複数並べられた操作用画面の表示態様を設定する表示設定処理を実行する。
記録部１６は、前述のように、操作ボタンに対応する操作が、低負荷有効操作、中負荷有効操作、高負荷有効操作のうちいずれに相当するかを、予め記録している。また、記録部１６は、後述する負荷段階色、操作有効色等を、予め記録している。
【００２４】
［１−２．処理］
次に、ナビゲーションＥＣＵ１５のＣＰＵ５１が実行する表示設定処理の一例について、図３に示すフローチャートを用いて説明する。なお、表示設定処理は、ＡＣＣスイッチがオンされている間、所定の期間毎に、繰り返し実行される。
【００２５】
Ｓ（ステップ）１１０では、ナビゲーションＥＣＵ１５は、運転負荷の状態を取得する。具体的には、ナビゲーションＥＣＵ１５は、運転負荷が、低負荷状態、中負荷状態、高負荷状態のいずれの状態に特定されたかを表す情報を取得する。運転負荷の状態の特定は、前述のように、本表示設定処理とは別処理としてナビゲーションＥＣＵ１５により実行されている。
【００２６】
続くＳ１２０〜Ｓ１５０では、ナビゲーションＥＣＵ１５は、センタディスプレイ１３に操作用画面を表示させるための画像データを生成する。ここでは、一例として図４に示すように、複数の操作ボタン７３〜７５と、現在の運転負荷の大きさを表す負荷表示７１とを配置した操作用画面７０を表示させる例について説明する。ここで、操作ボタン７３に対応する操作は低負荷有効操作であり、操作ボタン７４に対応する操作は中負荷有効操作であり、操作ボタン７５に対応する操作は高負荷有効操作であるものとする。
【００２７】
まずＳ１２０では、運転負荷の大小に応じて予め定められた段階的に異なる複数の色を負荷段階色とし、負荷段階色のうち操作ボタンに対応する所定の操作が有効とされるときの運転負荷に対応する色を操作有効色として、該操作有効色を取得する。具体的には、本実施形態では一例として、赤色、黄色、緑色の３色が負荷段階色として定められており、低負荷状態は緑色、中負荷状態は黄色、高負荷状態は赤色、に定められている。すなわち、低負荷有効操作のための操作ボタン７３の操作有効色は緑色に、中負荷有効操作のための操作ボタン７４の操作有効色は黄色に、高負荷有効操作のための操作ボタン７５の操作有効色は赤色に、予め定められている。なお、操作ボタン７３〜７５と操作有効色との対応は、前述のように記録部１６に記録されている。
【００２８】
次にＳ１３０では、ナビゲーションＥＣＵ１５は、Ｓ１１０により取得された運転負荷の大きさを表す負荷表示７１を、負荷段階色のうちの該運転負荷に応じた色を用いて表示させるための画像データを生成する。以下では、Ｓ１１０により取得された運転負荷を現在の運転負荷という。具体的には、ナビゲーションＥＣＵ１５は、負荷段階色を運転負荷の大小の順に並べた負荷段階色表示７１ａと、負荷段階色表示７１ａにおけるどの色が現在の運転負荷に対応する色であるかを表す負荷対応色表示７１ｂとを、負荷表示７１として表示する。
【００２９】
続くＳ１４０では、ナビゲーションＥＣＵ１５は、操作用画面７０に並べられた操作ボタン７３〜７５を表す画像データを生成する。具体的には、ナビゲーションＥＣＵ１５は、操作有効色に基づいて各操作ボタン７３〜７５の本体の色を表示する。本実施形態では、操作ボタン７３〜７５を、それぞれの操作有効色を用いて、順に緑色、黄色、赤色のように表示させる画像データを生成する。
【００３０】
次にＳ１５０では、ナビゲーションＥＣＵ１５は、現在の運転負荷において操作ボタン７３〜７５に対応する操作が有効であるか否かに応じて、異なる態様で操作ボタン７３〜７５を表示させる。本実施形態では、操作ボタンに対応する所定の操作が無効であるときは、操作ボタンに対応する所定の操作が有効であるときよりも、明度の低い色を用いて操作ボタンを表示させる。具体的には、ナビゲーションＥＣＵ１５は、現在の運転負荷において、対応する操作が有効である操作ボタンについては白色の外枠を周囲に付加し、対応する操作が無効である操作ボタンについては白色よりも明度の低い色である黒色の外枠を周囲に付加するように、操作ボタンを表示させる。
【００３１】
最後にＳ１６０では、ナビゲーションＥＣＵ１５は、生成した画像データをセンタディスプレイ１３へ出力し、本表示設定処理を終了する。
［１−３．作用］
車両用表示システム１の作用を、一例として示す図４を用いて説明する。図４では、操作ボタン（本体）７３は緑色に、操作ボタン７４は黄色に、操作ボタン７５は赤色に表示されているものとする。
【００３２】
図４における（ａ）は、運転負荷が低負荷状態であるときの操作用画面７０の一例を示す。このとき、操作用画面７０の負荷表示７１は、負荷段階色表示７１ａにおける低負荷状態に対応する色である緑色の部分に負荷対応色表示７１ｂが重なるように、表示される。また、低負荷状態では、操作ボタン７３〜７５に対応する操作は全て有効であるため、操作ボタン７３〜７５の周囲には白色の外枠７３ａ〜７５ａが表示される。
【００３３】
図４における（ｂ）は、運転負荷が中負荷状態であるときの操作用画面７０の一例を示す。このとき、操作用画面７０の負荷表示７１は、負荷段階色表示７１ａにおける中負荷状態に対応する色である黄色の部分に負荷対応色表示７１ｂが重なるように、表示される。また、中負荷状態では、操作ボタン７３に対応する操作は無効であり、操作ボタン７４〜７５に対応する操作は有効であるため、操作ボタン７３については周囲に黒色の外枠７３ａが表示され、操作ボタン７４〜７５については周囲に白色の外枠７４ａ〜７５ａが表示される。
【００３４】
図４における（ｃ）は、運転負荷が高負荷状態であるときの操作用画面７０の一例を示す。このとき、操作用画面７０の負荷表示７１は、負荷段階色表示７１ａにおける高負荷状態に対応する色である赤色の部分に負荷対応色表示７１ｂが重なるように、表示される。また、高負荷状態では、操作ボタン７３〜７４に対応する操作は無効であり操作ボタン７５に対応する操作が有効であるため、操作ボタン７３〜７４については周囲に黒色の外枠７３ａ〜７４ａが表示され、操作ボタン７５については周囲に白色の外枠７５ａが表示される。
【００３５】
［１−４．効果］
以上詳述した実施形態によれば、以下の効果が得られる。
［１Ａ］操作ボタン７３〜７５が有効とされるときの運転負荷に対応する色に基づいて操作ボタン７３〜７５が表示される。これによれば、操作ボタン７３〜７５が、運転負荷に応じて、いつ有効または無効とされるのかを、運転者に認識させることができる。また、これらを、操作用画面７０を長時間注視させることなく、運転者に認識させることができる。この結果、例えば車速を低くしたり車間距離を大きくしたりという様に運転負荷を小さくしたときに、無効とされていた操作ボタンを有効とすることが可能であることを、運転者に認識させることができる。
【００３６】
［１Ｂ］運転負荷の大きさを表す負荷表示７１を、負荷段階色のうちの運転負荷に応じた色を用いて表示させる。これによれば、運転者に、操作用画面７０を長時間注視させることなく、現在の運転負荷を認識させることができる。
【００３７】
［１Ｃ］操作用画面７０に負荷表示７１が含まれている。これによれば、現在の運転負荷の色と操作ボタン７３〜７５の色とを運転者に容易に比較させることができる。すなわち、現在の運転負荷の大きさと、操作ボタン７３〜７５を有効とするための負荷の大きさとを、運転者に容易に認識させることができる。
【００３８】
［１Ｄ］負荷表示７１には、対応する運転負荷の大小の順に前記負荷段階色を並べた負荷段階色表示７１ａが含まれている。これによれば、操作ボタン７３〜７５が、運転負荷の小さいときに有効とされるのか、運転負荷が大きいときであっても有効とされるのかを、運転者に容易に認識させることができる。また、利用したいと考える操作ボタンの色が、現在の運転負荷よりも大きい運転負荷の色または小さい運転負荷の色のどちらに近いのかを運転者に容易に認識させるとともに、該操作ボタンを利用するために運転負荷を小さくするか否かを運転者に容易に判断させることができる。
【００３９】
［１Ｅ］負荷表示７１には、負荷段階色表示７１ａにおけるどの色がＳ１１０により取得された現在の運転負荷に対応する色であるかを表す負荷対応色表示７１ｂが含まれている。これによれば、現在の運転負荷がどの程度の大きさの運転負荷であるのかを、運転者に容易に認識させることができる。
【００４０】
［１Ｆ］現在の運転負荷を取得したときに操作ボタン７３〜７５が有効であるか否かに応じて、異なる態様で操作ボタン７３〜７５を表示させる。これによれば、現在の運転負荷において有効である操作ボタンを、運転者に容易に認識させることができる。
【００４１】
［１Ｇ］操作ボタン７３〜７５が無効であるときは、操作ボタン７３〜７５が有効であるときよりも明度の低い色を用いて、操作ボタン７３〜７５を表示させる。例えば、無効であるときは、黒色の枠を付加して操作ボタン７３〜７５を表示させる。これによれば、有効である操作ボタンと無効である操作ボタンとを、運転者に明確に区別して認識させることができる。
【００４２】
なお、本実施形態では、ナビゲーションＥＣＵ１５が車両用表示制御装置の一例に相当し、センタディスプレイ１３が表示装置としての一例に相当する。また、Ｓ１１０が負荷取得手段としての処理の一例に相当し、Ｓ１２０が操作有効色取得手段としての処理の一例に相当し、Ｓ１４０が第１の表示手段としての処理の一例に相当し、Ｓ１３０が第２の表示手段としての処理の一例に相当する。また、Ｓ１５０が第３の表示手段としての処理の一例に相当する。
【００４３】
［２．第２実施形態］
［２−１．構成］
第２実施形態は、基本的な構成は第１実施形態と同様であるため、共通する構成については説明を省略し、相違点を中心に説明する。
【００４４】
前述した第１実施形態では、操作ボタン７３〜７５の本体の色を操作有効色としたが、本実施形態は、操作ボタン７３〜７５の外枠の色を操作有効色とした点で、第１実施形態と相違する。また、第１実施形態では、有効である操作ボタン７３〜７５については白色の外枠を付加し、無効である操作ボタン７３〜７５については黒色の外枠を付加したが、本実施形態では、無効である操作ボタン７３〜７５の本体の色を、有効である操作ボタン７３〜７５の本体の色とは異なる色とした点で、第１実施形態とは相違する。
【００４５】
［２−２．処理］
本実施形態のナビゲーションＥＣＵ１５が実行する表示設定処理では、図３に示す第１実施形態における表示設定処理と比較して、Ｓ１４０〜Ｓ１５０における処理の内容が異なる。Ｓ１１０〜Ｓ１３０、Ｓ１６０については、第１実施形態における表示設定処理と同様の処理を実行する。
【００４６】
Ｓ１４０では、ナビゲーションＥＣＵ１５は、操作用画面７０に並べられた操作ボタン７３〜７５を表す画像データを生成する。具体的には、ナビゲーションＥＣＵ１５は、各操作ボタン７３〜７５の操作有効色に基づいて、各操作ボタン７３〜７５の外枠の色を表示する。すなわち、一例として、ナビゲーションＥＣＵ１５は、操作ボタン７３の外枠７３ａは緑色に、操作ボタン７４の外枠７４ａは黄色に、操作ボタン７５の外枠７５ａは赤色に表示されるように、画像データを生成する。
【００４７】
Ｓ１５０では、ナビゲーションＥＣＵ１５は、現在の運転負荷において操作ボタン７３〜７５が有効であるか否かに応じて、異なる態様で操作ボタン７３〜７５の本体を表示させる。具体的には、ナビゲーションＥＣＵ１５は、現在の運転負荷において、有効である操作ボタンについては操作ボタンの本体を、すなわち操作ボタンの外枠の内側を一例として青色に表示し、無効である操作ボタンについては操作ボタンの本体を一例として灰色に表示させる。
【００４８】
［２−３．作用］
車両用表示システム１の作用を、一例として示す図５を用いて説明する。図５では、操作ボタン７３の外枠７３ａは緑色に、操作ボタン７４の外枠７４ａは黄色に、操作ボタン７５の外枠７５ｂは赤色に表示されている。また、図５では、操作用画面７０の下方に負表示７１が表示されている。
【００４９】
図５における（ａ）は、運転負荷が低負荷状態であるときの操作用画面７０の一例を示す。このとき、操作用画面７０の負荷表示７１は、負荷段階色表示７１ａにおける低負荷状態に対応する色である緑色の部分に負荷対応色表示７１ｂが重なるように、表示される。また、低負荷状態では、操作ボタン７３〜７５は全て有効であるため、操作ボタン７３〜７５の本体は青色に表示される。
【００５０】
図５における（ｂ）は、運転負荷が中負荷状態であるときの操作用画面７０の一例を示す。このとき、操作用画面７０の負荷表示７１は、負荷段階色表示７１ａにおける中負荷状態に対応する色である黄色の部分に負荷対応色表示７１ｂが重なるように、表示される。また、中負荷状態では、操作ボタン７３は無効であり、操作ボタン７４〜７５は有効であるため、操作ボタン７３の本体は灰色に表示され、操作ボタン７４〜７５の本体は青色に表示される。
【００５１】
図５における（ｃ）は、運転負荷が高負荷状態であるときの操作用画面７０の一例を示す。このとき、操作用画面７０の負荷表示７１は、負荷段階色表示７１ａにおける高負荷状態に対応する色である赤色の部分に負荷対応色表示７１ｂが重なるように、表示される。また、高負荷状態では、操作ボタン７３〜７４は無効であり、操作ボタン７５が有効であるため、操作ボタン７３〜７４の本体は灰色に表示され、操作ボタン７５の本体は青色に表示される。
【００５２】
［２−４．効果］
以上詳述した実施形態によれば、前述した第１実施形態の効果［１Ａ］〜［１Ｆ］と同様の効果が得られる。
【００５３】
［３．第３実施形態］
［３−１．構成］
第３実施形態は、基本的な構成は第２実施形態と同様であるため、共通する構成については説明を省略し、相違点を中心に説明する。
【００５４】
前述した第２実施形態では、負荷段階色表示７１ａと負荷対応色表示７１ｂとを備えた負荷表示７１によって現在の運転負荷の大きさが表示されていたが、現在の運転負荷の表示態様が第２実施形態とは相違する。
【００５５】
［３−２．処理］
本実施形態のナビゲーションＥＣＵ１５が実行する表示設定処理では、上述の第２実施形態における表示設定処理と比較して、Ｓ１３０における処理の内容が異なる。Ｓ１１０〜Ｓ１２０、Ｓ１４０〜Ｓ１６０については、第２実施形態における表示設定処理と同様の処理を実行する。
【００５６】
Ｓ１３０では、ナビゲーションＥＣＵ１５は、Ｓ１１０により取得された運転負荷の大きさを表す負荷表示を、負荷段階色のうちの該運転負荷に応じた色を用いて表示させる画像データを生成する。具体的には、ナビゲーションＥＣＵ１５は、上記実施形態と同様の負荷段階色表示７１ａを操作用画面７０に表示する。また、ナビゲーションＥＣＵ１５は、負荷段階色のうちの現在の運転負荷に対応する色である負荷対応色を用いて、操作用画面７０の背景を表示する。このように本実施形態では、負荷段階色表示７１ａにおけるどの色が現在の運転負荷に対応する色であるかは、操作用画面７０の背景の色によって表されている。つまり、上記実施形態における負荷対応色表示７１ｂが、本実施形態では操作用画面７０の背景色に相当する。
【００５７】
［３−３．作用］
車両用表示システム１の作用を、一例として示す図６を用いて説明する。図６では、操作ボタン７３の外枠７３ａは緑色に、操作ボタン７４の外枠７４ａは黄色に、操作ボタン７５の外枠７５ｂは赤色に表示されている。また、図６では、操作用画面７０の下方に負荷段階色表示７１ａが表示されている。
【００５８】
図６における（ａ）は、運転負荷が低負荷状態であるときの操作用画面７０の一例を示す。このとき、操作用画面７０の背景は、現在の運転負荷（低負荷状態）に対応する色である緑色に表示される。このとき操作ボタン７３の外枠７３ａは、操作用画面７０の背景と同じ色で表示されており、他の操作ボタン７４〜７５とは異なる態様で表示される。なお、第２実施形態と同様に、低負荷状態では、操作ボタン７３〜７５は全て有効であるため、操作ボタン７３〜７５の本体は青色に表示される。
【００５９】
図６における（ｂ）は、運転負荷が中負荷状態であるときの操作用画面７０の一例を示す。このとき、操作用画面７０の背景は、現在の運転負荷（中負荷状態）に対応する色である黄色に表示される。このとき操作ボタン７４の外枠７４ａは、操作用画面７０の背景と同じ色で表示されており、他の操作ボタン７３、７５とは異なる態様で表示される。なお、第２実施形態と同様に、中負荷状態では、操作ボタン７３は無効であり、操作ボタン７４〜７５は有効であるため、操作ボタン７３の本体は灰色に表示され、操作ボタン７４〜７５の本体は青色に表示される。
【００６０】
図６における（ｃ）は、運転負荷が高負荷状態であるときの操作用画面７０の一例を示す。このとき、操作用画面７０の背景は、現在の運転負荷（高負荷状態）に対応する色である赤色に表示される。このとき操作ボタン７５の外枠７５ａは、操作用画面７０の背景と同じ色で表示されており、他の操作ボタン７３〜７４とは異なる態様で表示される。なお、第２実施形態と同様に、高負荷状態では、操作ボタン７３〜７４は無効であり、操作ボタン７５が有効であるため、操作ボタン７３〜７４の本体は灰色に表示され、操作ボタン７５の本体は青色に表示される。
【００６１】
［３−４．効果］
以上詳述した実施形態によれば、前述した第２実施形態と同様の効果に加え、以下の効果が得られる。
【００６２】
［３Ａ］操作用画面７０には負荷段階色表示７１ａが表示され、操作用画面７０の背景は、現在の運転負荷に対応する色で表示される。すなわち、現在の運転負荷に対応する色が大きな面積で表示される。これによれば、操作用画面７０の背景色に対応する現在の運転負荷に対して運転負荷をどのように変化させれば操作ボタン７３〜７５が有効とされるのかを、運転者により容易に認識させることができる。
【００６３】
［４．他の実施形態］
以上、本発明の実施形態について説明したが、本発明は、上記実施形態に限定されることなく、種々の形態を採り得ることは言うまでもない。
【００６４】
［４Ａ］上記実施形態において、操作用画面７０における操作ボタン７３〜７５、負荷表示７１等の表示の態様は一例であり、操作ボタン７３〜操作ボタン７５、負荷表示７１の表示の態様、例えば、数、形状、配置等の種々の態様は任意に設定されてよい。
【００６５】
［４Ｂ］上記実施形態では、操作ボタン７３〜操作ボタン７５を操作有効色を用いて表示させたが、これに限るものではない。例えば、操作有効色に基づいて、具体的には操作有効色に対応する運転負荷より所定の大きさだけ大きい運転負荷に対応する色を用いて、操作ボタン７３〜操作ボタン７５を表示させてもよい。この場合は、操作ボタン７３〜７５の色に対応する運転負荷よりも低い運転負荷において、該操作ボタン７３〜７５が有効となることを、運転者に認識させることができる。
【００６６】
また、運転者の負荷の大小に応じて予め定められた段階的に異なる複数の色を負荷段階色とし、負荷段階色のうち操作ボタンが無効とされるときの運転者の負荷に対応する色を操作無効色として、操作用画面に並べられた操作ボタンの色を操作無効色に基づいて表示させるようにしてもよい。
【００６７】
［４Ｃ］上記実施形態では、一例として、負荷段階色は負荷の小さい方から大きい方への順に、緑色、黄色、赤色の３色に設定されていたが、これらの色の組合せ及び並び方は一例にすぎない。負荷段階色は任意の異なる色に設定されてよく、また任意の順に並ぶように設定されてよい。また、負荷段階色は、色の濃淡（グラデーション）を用いて設定されてもよい。
【００６８】
［４Ｄ］上記実施形態では、ナビゲーションＥＣＵ１５は、運転負荷を低負荷状態、中負荷状態、高負荷状態及び低負荷状態の３つの状態のいずれかに特定していたが、運転負荷の状態の数は、これに限らず任意に設定されてよい。また、これに応じて負荷段階色が任意に設定されてよい。
【００６９】
［４Ｅ］上記実施形態では、操作用画面７０はセンタディスプレイ１３に表示されていたが、これに限るものではない。例えば、車両用表示システム１は画像データが表す画像を表示可能な装置を複数有するディスプレイ１３ａを備えていてもよく、これらのどの装置に操作用画面７０が表示されてもよい。一例として示す図７では、車両用表示システム１が備えるディスプレイ１３ａは、周知のヘッドアップディスプレイ１３１、前述のセンタディスプレイ１３２、センタディスプレイ１３２が設置される付近に該センタディスプレイ１３２とは別に設置される車載ディスプレイ１３３、コンソールパネルにおいて各種メータが表示されるディスプレイであるコンソールパネルディスプレイ１３４等を有している。操作ボタンが配置された操作用画面はこれらのいずれの装置に表示されてもよい。また、操作ボタンがこれらのうちの１つの装置に表示されて、負荷表示が他の装置に表示されるようであってもよい。
【００７０】
［４Ｆ］上記実施形態では、ナビゲーション機能における目的地設定操作を低負荷有効操作の一例として挙げ、オーディオ機能のオンオフ操作を高負荷有効操作の一例として挙げていたが、低負荷有効操作、及び高負荷有効操作はこれらに限るものではない。センタディスプレイ１３における操作用画面７０における、低負荷有効操作、中負荷有効操作、高負荷有効操作は、車両に対するあらゆる種類のユーザの操作を対象としてよい。
【００７１】
［４Ｇ］上記実施形態では、検出部１１は、位置検出器１１１、車速センサ１１２、車間距離センサ１１３を備えていたが、これらに限るものではない。この他に例えば、ハンドルの舵角を検出する舵角センサや、アクセル開度を検出するセンサや、加速度を検出する加速度センサ等を備えていても良い。
【００７２】
［４Ｈ］上記実施形態では、高負荷エリアは予め定められており、該高負荷エリアが地図データ記録部１２に記憶されていた。これに対し、例えば、車両用表示システム１が通信手段を備える場合、地図データ記録部１２は、該通信手段により外部より取得された高負荷エリアの情報を随時記憶するように構成されていてもよい。また、高負荷エリアが、運転負荷の状態に応じて、複数段階に分けて記憶されていてもよい。
【００７３】
［４Ｉ］上記実施形態における１つの構成要素が有する機能を複数の構成要素として分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の一部を、課題を解決できる限りにおいて省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本発明の実施形態である。
【００７４】
［４Ｊ］本発明は、前述した車両用表示システム１、ナビゲーションＥＣＵ１５の他、当該ナビゲーションＥＣＵ１５を機能させるためのプログラム、このプログラムを記録した媒体、表示処理方法など、種々の形態で実現することができる。
【符号の説明】
【００７５】
１…車両用表示システム  １３…センタディスプレイ  １５…ナビゲーションＥＣＵ  ５１…ＣＰＵ。
【図１】
0006365202.tif 000002
【図２】
0006365202.tif 000003
【図３】
0006365202.tif 000004
【図４】
0006365202.tif 000005
【図５】
0006365202.tif 000006
【図６】
0006365202.tif 000007
【図７】
0006365202.tif 000008